(57)【要約】      （修正有）【課題】防水機能を有するオーディオジャックを提供する。【解決手段】オーディオジャックは絶縁本体１と複数の接続端子と防水カバー体３と固定外殻体４とを備える。前記絶縁本体上には接続口と接続口に繋がる複数の端子溝とを設け、複数の接続端子は絶縁本体上の端子溝内に挿入し、絶縁本体に延伸する押圧連結部を備え、前記防水カバー体は絶縁本体上に被嵌し、弾性材にて製作する。又、防水カバー体上には絶縁本体の端面外側に延伸する環状の突出エッジを設け、前記固定外殻体４は防水カバー体の外側に設け、固定外殻体上には複数の係止部４２を設ける。オーディオジャックは固定外殻体上の係止部４２が回路板５を緊密に引き掛けて支持し、防水カバー体の突出エッジは回路板５の一面を緊密に押圧するため、オーディオジャックと回路板間の隙間をなくして防水機能を実現する。【選択図】図２
0003162587.tif 000002
【実用新案登録請求の範囲】
【請求項１】
接続口と接続口に繋がる複数の端子溝とを備える絶縁本体と、
絶縁本体上の端子溝内にそれぞれを挿入し、絶縁本体の外側に延伸する押圧連結部を備える複数の接続端子と、
絶縁本体上に被嵌し、弾性材により製作し、絶縁本体の一端の外側に延伸する環状の突出エッジを設ける防水カバー体と、
防水カバー体の外側に取り付け、複数の係止部を設ける固定外殻体により構成されることを特徴とするオーディオジャック。
【請求項２】
前記絶縁本体の外側には凹溝を設け、前記固定外殻体上には複数の嵌合連結口を設け、前記防水カバー体はシリコンゴムで製作し、防水カバー体内側には防水環状突出部を設け、防水環状突出部は絶縁本体の凹溝内に収められて嵌合支持し、防水カバー体の外側には複数の嵌合支持体を突設し、嵌合支持体は嵌合連結口に係止することを特徴とする請求項１記載のオーディオジャック。
【請求項３】
前記固定外殻体の係止部には案内斜面を設けることを特徴とする請求項１記載のオーディオジャック。
【考案の詳細な説明】
【技術分野】
【０００１】
本考案はコネクタに係り、特に防水機能を備えるオーディオジャックに関する。
【背景技術】
【０００２】
科学技術の進歩に伴い、オーディオジャックは携帯電話、デジタルカメラ等電子製品上に広く応用されるようになった。
【０００３】
公知のオーディオジャックは絶縁本体及び絶縁本体に固定する複数の接触端子を含み、絶縁本体上には接続口を設け、接触端子には絶縁本体外側に延伸するハンダ付け部を設け、ハンダ付け部は回路板上にハンダ付けする。
【考案の概要】
【考案が解決しようとする課題】
【０００４】
しかし、公知のオーディオジャックの設計には防水機能はなく、水分或いは湿気が絶縁本体の接続口から電子製品内に進入すると回路やその他の電子部品を腐食し電子製品の作業品質を悪化させ作業が全く不可能となる。
【課題を解決するための手段】
【０００５】
本考案の目的は前記公知技術に存在する欠点に対し電子製品内への水分の浸入防止を可能とするオーディオジャックを提供することにある。
【０００６】
前記目的を実現するために本考案のオーディオジャックは絶縁本体と複数の接続端子と防水カバー体と固定外殻体とを備える。前記絶縁本体上には接続口と接続口に繋がる複数の端子溝とを設け、複数の接続端子は絶縁本体上の端子溝内に挿入し、前記接続端子は基本部と基本部から延伸する接触部と絶縁本体の外側に延伸する押圧連結部とを備え、前記防水カバー体は絶縁本体上に被嵌し、しかも弾性材にて製作し、防水カバー体上には絶縁本体の端面外側に延伸する環状の突出エッジを設け、前記固定外殻体は防水カバー体の外側に設け、固定外殻体上には複数の係止部を設ける。
【考案の効果】
【０００７】
前述の通り本考案のオーディオジャックは絶縁本体外側に防水カバー体を嵌設し、防水カバー体の外側に固定外殻体を加え、しかも固定外殻体上の係止部が回路板を緊密に引き掛けて支持するため、防水カバー体上の突出エッジは回路板の端面を緊密に押圧しオーディオジャックと回路板間の隙間をなくして防水機能を実現する。
【図面の簡単な説明】
【０００８】
【図１】本考案のオーディオジャックの実施例に関する立体分解図である。
【図２】図１のオーディオジャックを回路板上にハンダ付けした状態の立体図である。
【考案を実施するための形態】
【０００９】
本考案の技術内容、構造特徴、達成すべく目的と効果をご理解戴く為に次に実施例に図面を組み合わせた詳細説明を行う。
【００１０】
図１に示す通り本考案のオーディオジャック１００は絶縁本体１と複数の接続端子２と防水カバー体３と固定外殻体４とを含む。
【００１１】
また、図１に示す通り絶縁本体１は概ね長方体形状をなし、絶縁本体１上には接続口１１と接続口１１に繋がる複数の端子溝１２を設け、絶縁本体１外側には凹溝１３を設ける。
【００１２】
複数の接続端子２は絶縁本体１上の端子溝１２内に挿入し、各接続端子２は基本部２１と基本部２１から延伸する接触部２２と絶縁本体１の外側に延伸する押圧連結部２３とを備え、押圧連結部２３は回路板５上にハンダ付けする。
【００１３】
防水カバー体３は防水機能を備える弾性材で製作する。本考案の実施例においては、弾性に富むシリコンゴムを用い防水カバー体３を絶縁本体１上に被嵌し、防水カバー体３内側には防水環状突出部３１を設け、防水環状突出部３１は絶縁本体１の凹溝１３内に収められて嵌合するため、更に良好な密閉効果と防水効果を達成し、防水カバー体３の外側には複数の嵌合支持体３２を突設し、防水カバー体３上には絶縁本体１の端面外側に延伸する突出エッジ３３を設ける。
【００１４】
固定外殻体４は防水カバー体３の外側に取り付け、固定外殻体４上には複数の係止部４２を設け、固定外殻体４上に複数設けた各嵌合連結口４１はそれぞれ嵌合支持体３２に対応し、嵌合支持体３２は嵌合連結口４１に係止し固定外殻体４の係止部４２には案内斜面４２１を設ける。
【００１５】
回路板５上には複数の開口５１を設け、各開口５１はそれぞれ固定外殻体４上の係止部４２に対応する。
【００１６】
図１及び図２に示す通り、本考案のオーディオジャック１００を組み立てる場合、まず接続端子２を絶縁本体１上の端子溝１２内に挿入し、更に防水カバー体３を絶縁本体１に嵌設し、その後、固定外殻体４を防水カバー体３外側に装着し、最後に固定外殻体４係止部４２上の案内斜面４２１の案内されて係止部４２は回路板５の開口５１を通過し回路板５を緊密に引き掛けて支え、オーディオジャック１００の防水カバー体３上の突出エッジ３３は回路板５の一面を緊密に押圧するため、オーディオジャック１００と回路板５間には隙間ができず防水機能を実現する。
【００１７】
前記の通り本考案のオーディオジャック１００は絶縁本体１外側に防水カバー体３を備え、防水カバー体３外側に固定外殻体４を加え、しかも固定外殻体４上の係止部４２が回路板５を緊密に引き掛けて支持するため、防水カバー体３の突出エッジ３３は回路板５の一面を緊密に押圧しオーディオジャック１００と回路板５間の隙間をなくして防水機能を実現する。
【符号の説明】
【００１８】
１００  オーディオジャック
１  絶縁本体
１１  接続口
１２  端子溝
１３  凹溝
２  接続端子
２１  基本部
２２  接触部
２３  押圧連結部
３  防水カバー体
３１  防水環状突出部
３２  嵌合支持体
３３  突出エッジ
４  固定外殻体
４１  嵌合連結口
４２  係止部
４２１  案内斜面
５  回路板
５１  開口  
【図１】
0003162587.tif 000003
【図２】
0003162587.tif 000004